(57)【要約】【課題】  電話会話時に、相手の情報を多く入手できるＷｅｂページを閲覧可能にし、コミュニケーションを円滑化し、高度化することを可能とする。【解決手段】  端末Ａのユーザにより、端末Ｂに対し、通常の通話開始操作がなされると、端末Ａが、ＵＲＬ検索サーバＣへ端末Ｂの用意したＷｅｂページのＵＲＬを要求する。すると、ＵＲＬ検索サーバＣが、検索したＵＲＬを端末Ａに送信する。端末Ａは、取得したＵＲＬのＷｅｂコンテンツをＷｅｂコンテンツサーバＤに要求し、ＷｅｂコンテンツサーバＤが、当該ＵＲＬのＷｅｂコンテンツを端末Ａに送信する。端末Ａは当該コンテンツを含むＷｅｂページを表示し、端末Ａと端末Ｂの通話が開始される。【選択図】  図２
2006211135.tif 000002
【特許請求の範囲】
【請求項１】
第１の端末と、
当該第１の端末と電話回線を介して通話可能に接続される第２の端末と、
当該第２の端末の電話番号とリソース識別子を対応させて蓄積するリソース識別子蓄積部と、
前記リソース識別子に対応するコンテンツを蓄積するコンテンツ蓄積部とを備え、
前記第１の端末が、前記リソース識別子蓄積部と前記コンテンツ蓄積部にネットワークを介して接続可能であり、かつ前記第２の端末との通話時に、前記リソース識別子蓄積部から、前記電話番号に対応した前記リソース識別子を取得可能であり、
前記リソース識別子を取得した場合、前記第１の端末は、前記コンテンツ蓄積部から、前記取得したリソース識別子に対応した前記コンテンツを取得する、通信ネットワークシステム。
【請求項２】
請求項１記載の通信ネットワークシステムであって、
前記コンテンツ蓄積部が、前記ネットワーク上に配置されたＷｅｂコンテンツサーバである、通信ネットワークシステム。
【請求項３】
請求項１又は２記載の通信ネットワークシステムであって、
前記リソース識別子蓄積部が前記ネットワーク上に配置されたリソース識別子検索サーバである、通信ネットワークシステム。
【請求項４】
請求項３記載の通信ネットワークシステムであって、
前記リソース識別子検索サーバが、前記第２の端末の電話番号とリソース識別子を互いに対応させた状態で記憶するテーブルを有する、通信ネットワークシステム。
【請求項５】
請求項１又は２記載の通信ネットワークシステムであって、
前記第２の端末が前記リソース識別子蓄積部を有し、
前記第１の端末が、前記第２の端末にネットワークを介して接続可能な、通信ネットワークシステム。
【請求項６】
請求項５記載の通信ネットワークシステムであって、
前記第２の端末が、前記コンテンツ蓄積部にネットワークを介して接続可能であり、
前記第１の端末との通話時に、前記第２の端末は、前記コンテンツ蓄積部から、前記コンテンツを取得する、通信ネットワークシステム。
【請求項７】
請求項６記載の通信ネットワークシステムであって、
前記第２の端末が、前記コンテンツを表示する表示部を有する、通信ネットワークシステム。
【請求項８】
請求項１ないし７のいずれか１項記載の通信ネットワークシステムであって、
前記リソース識別子がＵＲＬである、通信ネットワークシステム。
【請求項９】
請求項１ないし８のいずれか１項記載の通信ネットワークシステムであって、
前記第１の端末が、前記コンテンツを表示する表示部を有する、通信ネットワークシステム。
【請求項１０】
請求項１ないし９のいずれか１項記載の通信ネットワークシステムであって、
前記第１の端末が携帯電話である、通信ネットワークシステム。
【請求項１１】
相手側端末と通話を行う通話部と、
前記相手側端末との通話時に、相手側端末の電話番号に基づき、相手側端末のリソース識別子を取得するリソース識別子取得部と、
取得したリソース識別子に基づき、当該リソース識別子に対応したコンテンツを取得するコンテンツ取得部と、
前記取得したコンテンツを表示する表示部と、を備える電話機。
【請求項１２】
請求項１１記載の電話機であって、
前記取得したリソース識別子を保存するリソース識別子保存部を更に備える、電話機。
【請求項１３】
相手側端末と通話を行う通話部と、
前記相手側端末との通話時に、相手側端末に自らのリソース識別子を送信するリソース識別子送信部と、を備える電話機。
【請求項１４】
請求項１３記載の電話機であって、
前記リソース識別子に基づき、当該リソース識別子に対応したコンテンツを取得するコンテンツ取得部と、
前記取得したコンテンツを表示する表示部と、を更に備える電話機。
【発明の詳細な説明】
【技術分野】
【０００１】
本発明は、電話会話と共にＷｅｂページの閲覧を可能とする通信ネットワークシステム及び電話機に関する。
【背景技術】
【０００２】
近時の通信では、有線電話、移動電話、インターネット電話等の電話ネットワークに加え、インターネットを介した電子メール通信が多用されている。更に、インターネット介して、Ｗｅｂページ（ホームページ）による多様な情報の提供が行われている。
【０００３】
このように電話ネットワークでは、電話会話による通話、ファクシミリ通信及びデータ通信のみが行われ、また、インターネットでは、主に電子メール通信とともに、Ｗｅｂページの閲覧による世界規模での多様な情報提供及びインターネット電話が行われていた。更には、電話会話とともにインターネットのＷｅｂページの閲覧とを併用する多様かつ高度なコミュニケーションを図る通信が行われている。
【０００４】
この通信におけるコミュニケーションとしては、例えば、遠方の出張予定者に対して、電話発信者が業務打合せを、電話通話を通じて行うとともに、出張先のローカル天気予報のＷｅｂページを相互に閲覧し、このローカル天気予報に基づいて訪問先での野外展示会の実施を決定するなどの、業務の効率化を図るためのコミュニケーション（電話会話及びＷｅｂページの情報の連携によるコミュニケーション）がある。
【０００５】
このような電話会話とＷｅｂページ情報とを連携する通信システムとして、特許文献１では、電話通話とＷｅｂページ閲覧との連携による通信の方法、システムが提案されている。
【０００６】
上述の方法、システムでは、発信側の電話機から電話先の電話番号に対応するＵＲＩ（Uniform Resource Identifiers）を、所定のネットワークを通じて着信側の電話機へ送信する。着信側の小型汎用コンピュータが、受け取ったＵＲＩのＷｅｂページにネットワークを通じてアクセスするとともに、当該Ｗｅｂページを表示するとともに、着信側から発信側の小型汎用コンピュータにＵＲＩを送信する。そして、発信側の小型汎用コンピュータが、受信したＵＲＩに対応するＷｅｂページに、ネットワークを通じてアクセスし、当該Ｗｅｂページを表示する。そして、発信側の電話機と着信側の電話機が回線接続される。
【０００７】
このＷｅｂページの表示画面を参照しながら、発信側と着信側が電話機を通じた会話を行う。すなわち、電話会話及びＷｅｂページの情報の連携によるコミュニケーションが行われる。この場合、電話発信を行うのみで、発信側と着信側の相互がＷｅｂページを容易に参照できるようになり、電話会話のみでは、正確かつ迅速に伝えることが出来ないような内容でもＷｅｂページの情報内容との連携によって、円滑に充実したコミュニケーションが可能になる。
【０００８】
この場合のコミュニケーションの応用例には、多様多種の例が提案されている。例えば、上述したように、出張先のローカル天気予報のＷｅｂページを閲覧し、かつ、その業務の打合せを行う例がある。また、遠隔地の二つの株式市場における株価を、そのＵＲＩを通知して画面表示し、電話会話とともに検討するコミュニケーションの例がある。
【０００９】
【特許文献１】特開２０００−２９５３６２号公報
【発明の開示】
【発明が解決しようとする課題】
【００１０】
特許文献１の方法においては、発信側が、発信側において記憶した電話先の電話番号に対応するＵＲＩを、着信側の電話機へ送信する。そして、着信側は、着信側において記憶した電話先の電話番号に対応するＵＲＩを、発信側の電話機へ送信する。従って、最終的に発信側で表示されるＷｅｂページは、相手側（着信側）が、自ら（発信側）の電話番号に対応づけて記憶したＵＲＩに対応するＷｅｂページである。
【００１１】
しかしながら、電話会話及びＷｅｂページの情報の連携を必要とする場面において、発信側が着信側の情報を多く要求する状況が少なくない。例えば、飲食店に電話しながら、当該店のメニューについて聞きたい場合は、メニューを表示した当該店のＷｅｂページを閲覧したいのが一般的である。特許文献１は，このような状況に十分対応したものではない。
【００１２】
本発明は、電話会話時に、相手の情報を多く入手できるＷｅｂページを閲覧可能にし、コミュニケーションを円滑化し、高度化することを可能とする、通信ネットワークシステム、電話機を提供する。
【課題を解決するための手段】
【００１３】
本発明の通信ネットワークシステムは、第１の端末と、当該第１の端末と電話回線を介して通話可能に接続される第２の端末と、当該第２の端末の電話番号とリソース識別子を対応させて蓄積するリソース識別子蓄積部と、前記リソース識別子に対応するコンテンツを蓄積するコンテンツ蓄積部とを備え、前記第１の端末が、前記リソース識別子蓄積部と前記コンテンツ蓄積部にネットワークを介して接続可能であり、かつ前記第２の端末との通話時に、前記リソース識別子蓄積部から、前記電話番号に対応した前記リソース識別子を取得可能であり、前記リソース識別子を取得した場合、前記第１の端末は、前記コンテンツ蓄積部から、前記取得したリソース識別子に対応した前記コンテンツを取得する。
【００１４】
上述の構成においては、第１の端末が、直接にリソース識別子蓄積部から、相手側の第２端末の電話番号に対応したリソース識別子を取得可能であり、この取得したリソース識別子に対応した相手側のコンテンツを取得可能である。従って、通話操作のみで容易に、かつ速やかに相手側の十分な情報を取得することが可能となる。
【００１５】
前記コンテンツ蓄積部を、前記ネットワーク上に配置されたＷｅｂコンテンツサーバより構成することができる。また、前記リソース識別子蓄積部が前記ネットワーク上に配置されたリソース識別子検索サーバより構成することができる。この場合、前記リソース識別子検索サーバに、前記第２の端末の電話番号とリソース識別子を互いに対応させた状態で記憶するテーブルを設けることができる。
【００１６】
上述の構成においては、リソース識別子蓄積部とコンテンツ蓄積部を、特別な技術なしで、一般的なサーバにより構成することができる。
【００１７】
また、前記第２の端末に前記リソース識別子蓄積部を設け、前記第１の端末が、前記第２の端末にネットワークを介して接続可能なように構成することができる。ここで、前記第２の端末を、前記コンテンツ蓄積部にネットワークを介して接続可能なように構成することにより、前記第１の端末との通話時に、前記第２の端末は、前記コンテンツ蓄積部から前記コンテンツを取得することができる。さらに前記第２の端末に、前記コンテンツを表示する表示部を設けることができる。
【００１８】
上述の構成においては、第２の端末のユーザも、自らが提供したコンテンツを容易に閲覧することが可能となる。
【００１９】
上述において、前記リソース識別子の代表例はＵＲＬである。また、前記第１の端末に、前記コンテンツを表示する表示部を設けることができる。前記第１の端末の例は、携帯電話である。
【００２０】
この構成下、携帯電話の画面を構成する表示部にて、相手側の提供するコンテンツを見ながら、電話会話を行うことが可能となる。
【００２１】
また、本発明の電話機は、相手側端末と通話を行う通話部と、前記相手側端末との通話時に、相手側端末の電話番号に基づき、相手側端末のリソース識別子を取得するリソース識別子取得部と、取得したリソース識別子に基づき、当該リソース識別子に対応したコンテンツを取得するコンテンツ取得部と、前記取得したコンテンツを表示する表示部とを備える。前記取得したリソース識別子を保存するリソース識別子保存部を更に設けることもできる。
【００２２】
更に、本発明の他の電話機は、相手側端末と通話を行う通話部と、前記相手側端末との通話時に、相手側端末に自らのリソース識別子を送信するリソース識別子送信部とを備える。前記リソース識別子に基づき、当該リソース識別子に対応したコンテンツを取得するコンテンツ取得部と、前記取得したコンテンツを表示する表示部とを更に設けることもできる。
【００２３】
上述の電話機は、本発明における通信ネットワークシステムにおいて使用されるものである。
【発明の効果】
【００２４】
本発明によれば、相手側のＷｅｂページを迅速かつ容易に取得することができ、当該Ｗｅｂページを閲覧しながら電話通話ができるため、コミュニケーションを円滑化し、高度化することが可能となる。
【発明を実施するための最良の形態】
【００２５】
本発明実施時における電話通話の状況を図１に示す。携帯電話である端末Ａ（第１の端末）の所持者であるユーザが、相手側端末Ｂ（第２の端末）に発呼すると、通話開始とともに相手側が提供するＷｅｂページ（ホームページ）を、閲覧することができる。このように本発明では、電話発呼のみで、種々のコンテンツを含む相手のＷｅｂページを取得し、自らの端末にて該Ｗｅｂページを閲覧することを可能とする。以下本発明の実施形態を、図面を用いて説明する。
【００２６】
（第１の実施形態）
本発明の第１の実施形態に係る通信ネットワークシステムの概念図を図２に示す。このネットワークシステムにおいては、二つの端末Ａ、及び端末Ｂの間で電話通話がなされる。ここで端末Ａは、インターネットの如きネットワークに接続可能な機能（ブラウザ）を有する電話機より構成される。端末Ａの代表例は携帯電話であるが、電話通話機能とネットワーク接続機能を有する固定端末より構成することもできる。一方、端末Ｂは、電話通話機能を有するが、ブラウザがない、すなわちネットワーク接続機能を有さない電話機を使用することが可能である。従って、端末Ｂを通常の固定電話により構成することもできる。また、端末Ａは、Ｗｅｂページを表示するディスプレイ（表示部）を有するが、ディスプレイは、端末Ａとは別体の装置に設けることができる。
【００２７】
本実施形態では、二つの端末Ａ、及び端末Ｂはともに携帯電話であり、両者は基地局（ＢＳ）を通じて携帯電話網（電話回線）にて通話可能に接続される。両端末が有線回線にて接続される場合、基地局は不要である。
【００２８】
さらに本実施形態では、リソース識別子蓄積部を構成するＵＲＬ検索サーバＣ（リソース識別子検索サーバ）と、コンテンツ蓄積部を構成するＷｅｂコンテンツサーバＤが、ネットワーク上に配置されている。ＵＲＬ検索サーバＣは、端末Ａから端末Ｂの電話番号を受領し、当該電話番号に対応付けられたリソース識別子としてのＵＲＬ（Uniform Resource Locator）を端末Ａに送信する。また、ＷｅｂコンテンツサーバＤは、前記ＵＲＬを端末Ａから受信し、当該ＵＲＬに対応するＷｅｂページを構成するコンテンツ（文書、画像、音声、ハイパーリンク等の如きＷｅｂページの構成要素総てを含む）を端末Ａに送信する。
【００２９】
本実施形態において、通信は以下の手順で行われる。
【００３０】
（１）端末Ａのユーザにより、端末Ｂに対し、通常の通話開始操作がなされる。
（２）通話開始操作と共に、端末Ａが、ＵＲＬ検索サーバＣへ端末Ｂの用意したＷｅｂページのＵＲＬを要求する。
（３）ＵＲＬ検索サーバＣが、検索したＵＲＬを端末Ａに送信する。
（４）端末Ａが、取得したＵＲＬのＷｅｂコンテンツをＷｅｂコンテンツサーバＤに要求する。
（５）ＷｅｂコンテンツサーバＤが、当該ＵＲＬのＷｅｂコンテンツを端末Ａに送信する。端末Ａは当該コンテンツを含むＷｅｂページを表示する。
（６）端末Ａと端末Ｂが通話を開始する。
【００３１】
尚、図２では、図示の便宜上、二つのネットワークが示されているが、もちろん一つのネットワークを介して、情報の送受信をなすことができる。また、上述の（６）の工程と同時、または（６）の工程の後、（２）〜（５）の工程を実施することも可能である。
【００３２】
次に、通信に際しての端末Ａの処理手順を、図３に示したフローチャートを用いて説明する。まず、端末Ａのユーザが、端末Ｂに対して通話動作（発呼）を行う（ステップＳ１１）。
【００３３】
このとき、端末Ａ内の通話履歴を蓄積した所定のメモリに、端末ＢのＵＲＬが保持されているか否か判定がなされる（ステップＳ１２）。端末ＢのＵＲＬが保持されていないと判定された場合（ステップＳ１２；Ｎｏ）、端末Ａは、端末Ｂの電話番号をＵＲＬ検索サーバＣに送信することにより、サーバＣに端末ＢのＵＲＬを要求し（ステップＳ１３）、該要求に対する受信データを端末Ａは解析する（ステップＳ１４）。一方、端末ＢのＵＲＬが保持されていると判定された場合（ステップＳ１２；Ｙｅｓ）、端末Ａは、サーバＣに端末ＢのＵＲＬを要求せず、後述するステップＳ１６の処理を行う。
【００３４】
解析された受信データに端末ＢのＵＲＬが存在しない場合（ステップＳ１５；Ｎｏ）、Ｗｅｂページの要求等の動作がないまま、端末Ａと端末Ｂの通話が開始される（ステップＳ１８）。一方、解析された受信データに端末ＢのＵＲＬが存在する場合（ステップＳ１５；Ｙｅｓ）、端末Ａは、取得したＵＲＬのＷｅｂコンテンツをＷｅｂコンテンツサーバＤに要求し、当該Ｗｅｂコンテンツを取得し（ステップＳ１６）、当該Ｗｅｂコンテンツを含むＷｅｂページを自身のディスプレイに表示する（ステップＳ１７）。その後、端末Ａと端末Ｂの通話が開始される（ステップＳ１８）。
【００３５】
次に、通信に際してのＵＲＬ検索サーバＣの処理手順を、図４に示したフローチャートを用いて説明する。端末ＡからのＵＲＬ取得要求を受信すると（ステップＳ２１）、ＵＲＬ検索サーバＣは、自らの有するデータベースから、当該ＵＲＬを検索する（ステップＳ２２）。この検索は、端末Ｂの電話番号を用いて、予め電話番号とＵＲＬが対応付けられた所定のテーブルから行う。
【００３６】
そして、対応するＵＲＬが存在しない場合は（ステップＳ２３；Ｎｏ）、該ＵＲＬが存在しない旨を示すエラー表示を応答に設定し（ステップＳ２４）、検索要求に対する応答を端末Ａに送信する（ステップＳ２６）。対応するＵＲＬが存在する場合は（ステップＳ２３；Ｙｅｓ）、該ＵＲＬを応答に設定し（ステップＳ２５）、検索要求に対する応答を端末Ａに送信する（ステップＳ２６）。
【００３７】
図５は、端末Ａ、ＵＲＬ検索サーバＣ、端末Ｂ、ＷｅｂコンテンツサーバＤの間の処理手順を示すシーケンス図であり、これまでの説明をまとめたものである。尚、端末Ａの最初のステップにおいて、端末Ａのユーザは、端末ＡのディスプレイにおけるＷｅｂページの表示モードと非表示モードを選択することができる。その後に記載されたステップは、Ｗｅｂページの表示モードが選択された後のステップである。
【００３８】
また、図５では、発呼操作の後の「発呼」、「通話開始」が、端末ＡのＷｅｂページの表示後に行われるように図示されている。しかしながら、「発呼」、「通話開始」のタイミングは任意であり、「発呼操作」から「Ｗｅｂページ表示」の間の任意の時点に設定することができる。
【００３９】
端末Ａを構成する端末１００のブロック図を図６に示す。端末１００は、通信部１０１と、ＵＲＬ受信部１０３と、ＵＲＬ取得要求送信部１０５と、ＵＲＬ取得制御部１０７と、通話・ブラウザ制御部１０９と、ブラウザ起動制御部１１１と、ブラウザ１１３と、通話開始制御部１１５と、通話部１１７と、ＵＲＬ保持／非保持判定部１１９と、発呼操作制御部１２１と、電話帳（リソース識別子保存部）１２３と、ディスプレイ（表示部）１２５とを備える。
【００４０】
端末Ａのユーザが、端末Ｂに対して通話動作（発呼）を行ったとき、発呼操作制御部１２１は、ＵＲＬ保持／非保持判定部１１９を起動する。すると、ＵＲＬ保持／非保持判定部１１９は、通話履歴を蓄積した所定の記憶装置により構成される電話帳１２３に蓄積された通話履歴を検索し、端末ＢのＵＲＬが保持されているか否か判定する。端末ＢのＵＲＬが保持されていないと判定された場合、通話・ブラウザ制御部１０９は、ＵＲＬ取得制御部１０７を起動する。ＵＲＬ取得制御部１０７は、ＵＲＬ取得要求送信部１０５、通信部１０１を介して、端末Ｂの電話番号をＵＲＬ検索サーバＣに送信すると同時に、サーバＣに端末ＢのＵＲＬを要求する。ＵＲＬ取得制御部１０７とＵＲＬ取得要求送信部１０５は、リソース識別子取得部を構成する。
【００４１】
前記要求に対する受信データを受信すると、通話・ブラウザ制御部１０９は、該受信データを解析する。解析された受信データに端末ＢのＵＲＬが存在しない場合、通話・ブラウザ制御部１０９が通話開始制御部１１５を起動すると、通話部１１７を介して、端末Ｂとの電話回線接続が行われる。
【００４２】
解析された受信データに端末ＢのＵＲＬが存在する場合、当該ＵＲＬはＵＲＬ取得制御部１０７による制御の下、ＵＲＬ受信部１０３によって受信される。通話・ブラウザ制御部１０９は、ブラウザ起動制御部１１１によりブラウザ１１３を起動し、通信部１０１を介して、取得したＵＲＬのＷｅｂコンテンツをＷｅｂコンテンツサーバＤに要求する。そして、当該Ｗｅｂコンテンツを取得すると、当該Ｗｅｂコンテンツを含むＷｅｂページをディスプレイ１２５に表示する。ブラウザ起動制御部１１１とブラウザ１１３はコンテンツ取得部を構成する。その後、通話・ブラウザ制御部１０９が通話開始制御部１１５を起動すると、通話部１１７を介して、端末Ｂとの電話回線接続が行われる。
【００４３】
ＵＲＬ検索サーバＣを構成するサーバ２００のブロック図を図７に示す。サーバ２００は、ＵＲＬ検索部２０１と、ＵＲＬ送信部２０３と、電話番号取得部２０５と、通信部２０７と、ＵＲＬ情報データベース２０９とを備える。
【００４４】
端末１００（端末Ａ）からのＵＲＬ取得要求を受信すると、電話番号取得部２０５は、通信部２０７を介して、端末Ｂの電話番号を取得する。そして、ＵＲＬ検索部２０１は、ＵＲＬ情報データベース２０９から、当該ＵＲＬを検索する。この検索は、図８に示された相手側端末の電話番号とＵＲＬを互いに対応させた状態で記憶するテーブルを用いて行われる。このテーブルは、ＵＲＬ情報データベース２０９に保存されているものであり、電話番号と関連ＵＲＬが、２次元マトリックスの形式で保存されている。
【００４５】
そして、対応するＵＲＬが存在しない場合は、ＵＲＬ送信部２０３は、該ＵＲＬが存在しない旨を示すエラー表示を応答に設定し、検索要求に対する応答を端末Ａに送信する。対応するＵＲＬが存在する場合は、ＵＲＬ送信部２０３は、該ＵＲＬを応答に設定し、通信部２０７を介して検索要求に対する応答を端末Ａに送信する。
【００４６】
尚、ＵＲＬ情報データベース２０９は、必ずしも物理的にサーバ２００内に収納されている必要はなく、サーバ２００に接続された別体のハードディスクの如き記憶装置により構成することができる。また、サーバ２００からアクセス可能な別のサーバにＵＲＬ情報データベース２０９を設けることもできる。
【００４７】
（第２の実施形態）
本発明の第２の実施形態に係る通信ネットワークシステムの概念図を図９に示す。このネットワークシステムにおいて、端末Ａは、第１の実施形態のものと同様に構成されるが、端末Ｂの構成は第１の実施形態のものとは異なる。本実施形態での端末Ｂは、電話通話機能のみならずブラウザを有する、すなわちネットワーク接続機能を有する。また、本実施形態ではＷｅｂコンテンツサーバＤがネットワーク上に存在するが、第１実施形態におけるＵＲＬ検索サーバＣは存在しない。本実施形態において、通信は以下の手順で行われる。
【００４８】
（１）端末Ａのユーザにより、端末Ｂに対し、通常の通話開始操作がなされる。
（２）通話開始操作と共に、端末Ａが、端末Ｂ自身に端末Ｂの用意したＷｅｂページのＵＲＬを要求する。
（３）端末Ｂが、自身のＵＲＬを端末Ａに送信する。
（４）端末Ａが、取得した端末ＢのＵＲＬのＷｅｂコンテンツを、ＷｅｂコンテンツサーバＤに要求する。
（５）ＷｅｂコンテンツサーバＤが、当該ＵＲＬのＷｅｂコンテンツを端末Ａに送信する。端末Ａは当該コンテンツを含むＷｅｂページを表示する。
（６）端末Ａと端末Ｂが通話を開始する。
【００４９】
図２と同様、図９では、図示の便宜上、二つのネットワークが示されているが、もちろん一つのネットワークを介して、情報の送受信をなすことができる。また、上述の（６）の工程と同時、または（６）の工程の後、（２）〜（５）の工程を実施することも可能である。
【００５０】
次に、通信に際しての端末Ａの処理手順を、図１０に示したフローチャートを用いて説明する。まず、端末Ａのユーザが、端末Ｂに対して通話動作（発呼）を行う（ステップＳ３１）。
【００５１】
このとき、端末Ａ内の通話履歴を蓄積した所定のメモリに、端末ＢのＵＲＬが保持されているか否か判定がなされる（ステップＳ３２）。端末ＢのＵＲＬが保持されていないと判定された場合（ステップＳ３２；Ｎｏ）、端末Ａは、端末ＢにそのＵＲＬを要求し（ステップＳ３３）、該要求に対する受信データを端末Ａは解析する（ステップＳ３４）。一方、端末ＢのＵＲＬが保持されていると判定された場合（ステップＳ３２；Ｙｅｓ）、端末Ａは、端末ＢにそのＵＲＬを要求せず、後述するステップＳ３６の処理を行う。
【００５２】
解析された受信データに端末ＢのＵＲＬが存在しない場合（ステップＳ３５；Ｎｏ）、Ｗｅｂページの要求等の動作がないまま、端末Ａと端末Ｂの通話が開始される（ステップＳ３８）。一方、解析された受信データに端末ＢのＵＲＬが存在する場合（ステップＳ３５；Ｙｅｓ）、端末Ａは、取得したＵＲＬのＷｅｂコンテンツをＷｅｂコンテンツサーバＤに要求し、当該Ｗｅｂコンテンツを取得し（ステップＳ３６）、当該Ｗｅｂコンテンツを含むＷｅｂページを自身のディスプレイに表示する（ステップＳ３７）。その後、端末Ａと端末Ｂの通話が開始される（ステップＳ３８）。
【００５３】
次に、通信に際しての端末Ｂの処理手順を、図１１に示したフローチャートを用いて説明する。端末ＡからのＵＲＬ取得要求を受信すると（ステップＳ４１）、端末Ｂは、自らのＵＲＬ（自身の電話番号に対応したＵＲＬ）を有しない場合は（ステップＳ４２；Ｎｏ）、該ＵＲＬが存在しない旨を示すエラー表示を応答に設定し（ステップＳ４３）、検索要求に対する応答を端末Ａに送信する（ステップＳ４５）。対応するＵＲＬを有する場合は（ステップＳ４２；Ｙｅｓ）、該ＵＲＬを応答に設定し（ステップＳ４４）、検索要求に対する応答を端末Ａに送信する（ステップＳ４５）。
【００５４】
以上のステップ及び後述するステップＳ４９を実施することにより、上述の（１）〜（６）の工程は達成されるが、本実施形態において端末Ｂは、端末Ａからの着信と共に、付加機能として自らのＷｅｂページをディスプレイに表示する機能をもつ（図９で点線にて表示）。この付加機能は次に述べるステップＳ４６からステップＳ４９にて達成される。
【００５５】
ステップＳ４５の後、端末Ｂは、自身のメモリに、自らのＷｅｂページにアクセスした履歴に対応するキャッシュが存在するか否かを判定する（ステップＳ４６）。そしてキャッシュが存在しない場合（ステップＳ４６；Ｎｏ）、ＷｅｂコンテンツをＷｅｂコンテンツサーバＤに要求し、当該Ｗｅｂコンテンツを取得し（ステップＳ４７）、当該Ｗｅｂコンテンツを含むＷｅｂページを自身のディスプレイに表示する（ステップＳ４８）。その後、端末Ａと端末Ｂの通話が開始される（ステップＳ４９）。キャッシュが存在する場合（ステップＳ４６；Ｙｅｓ）、ＷｅｂコンテンツをＷｅｂコンテンツサーバＤに要求せず、当該キャッシュに基づきＷｅｂページを自身のディスプレイに表示する（ステップＳ４８）。その後、端末Ａと端末Ｂの通話が開始される（ステップＳ４９）。
【００５６】
図１２は、端末Ａ、端末Ｂ、ＷｅｂコンテンツサーバＤの間の処理手順を示すシーケンス図であり、これまでの説明をまとめたものである。図５と同様に、「通話開始」のタイミングは任意であり、「発呼操作」から「Ｗｅｂページ表示」の間の任意の時点に設定することができる。また、端末ＢとＷｅｂコンテンツサーバＤの間のやり取り（図１１におけるステップＳ４６からステップＳ４９）のタイミングも任意であり、端末ＡとＷｅｂコンテンツサーバＤの間のやり取りとは無関係のタイミングで実施可能である。
【００５７】
本実施形態における端末Ａの構成は、図６に示された第１の実施形態における構成と同じである。また、本実施形態における端末Ｂを構成する端末１５０のブロック図を図１３に示す。端末１５０は、通信部１０１と、ＵＲＬ送信部１２９と、ＵＲＬ要求受信部１３１と、ＵＲＬ通知制御部１２７と、通話・ブラウザ制御部１０９と、ブラウザ起動制御部１１１と、ブラウザ１１３と、通話開始制御部１１５と、通話部１１７と、ディスプレイ１２５と、端末ＢのＵＲＬを蓄積するメモリ（リソース識別子蓄積部）１３３を備える。通信部１０１と、通話・ブラウザ制御部１０９と、ブラウザ起動制御部１１１と、ブラウザ１１３と、通話開始制御部１１５と、通話部１１７と、ディスプレイ１２５の各々は、図６の端末１００のものと同様に構成される。
【００５８】
ＵＲＬ通知制御部１２７によって制御されたＵＲＬ要求受信部１３１が、通信部１０１を介して、端末ＡからのＵＲＬ取得要求を受信すると、通話・ブラウザ制御部１０９は、自らのＵＲＬがメモリ１３３に蓄積されていない場合、該ＵＲＬが存在しない旨を示すエラー表示を応答に設定し、ＵＲＬ送信部１２９により検索要求に対する応答を端末Ａに送信する。対応するＵＲＬをメモリ１３３に有する場合は、該ＵＲＬを応答に設定し、ＵＲＬ送信部１２０により検索要求に対する応答を端末Ａに送信する。
【００５９】
さらに、通話・ブラウザ制御部１０９が、ブラウザ起動制御部１１１を起動することによりブラウザ１１３を制御し、端末Ｂ自身のＷｅｂページをディスプレイ１２５に表示する。その後、通話・ブラウザ制御部１０９が通話開始制御部１１５を起動すると、通話部１１７を介して、端末Ｂとの電話回線接続が行われる。
【００６０】
本発明によれば、通話時に電話番号のみでＷｅｂページ（ホームページ）を取得可能であり、この技術は従来の電話機能とブラウザの組み合わせにて達成される。
【００６１】
そして、本発明によれば、
通話動作のみにて相手側のＵＲＬを自動取得し、Ｗｅｂページの表示を自動開始することができる。このため、相手側のＷｅｂページを見ながら電話会話をすることが容易に可能となる。相手の情報を多く入手できるＷｅｂページが閲覧可能であるため、コミュニケーションを円滑化し、高度化することが可能となる。
【００６２】
また、端末自らが、通話と同時に相手側のＵＲＬ、Ｗｅｂページ入手を行うので、円滑かつ速やかに相手側のＷｅｂページを得ることが可能となる。端末内に相手側のＵＲＬが保持されている場合は、より速やかにＷｅｂページを入手することが期待される。
【００６３】
本発明において、電話回線の種類は特に限定されず、有線電話、移動電話、インターネット電話等、あらゆる電話ネットワークを介した電話通話の場面に、本発明は適用可能である。インターネット電話の場合には、データ化された音声信号がインターネットを通過することになり、この場面において、電話回線とネットワークは共通化される。
【００６４】
また、本明細書において「リソース識別子」とは、ＵＲＩ、ＵＲＬ、ＵＲＮ（Uniform Resource Name）等を含む、ネットワーク上のリソースを識別し得るあらゆる種類のオブジェクトを含む。
【００６５】
また、リソース識別子（実施形態においてはＵＲＬ）の要求、送信にはＴＣＰ／ＩＰ（Transmission Control Protocol/Internet Protocol ）、ＳＭＳ（Short Message Service）等、ネットワークの態様にあわせた種々の通信形式を採用することができ、特に限定はされない。
【００６６】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００６７】
本発明は、電話機を用いたコミュニケーションを、より円滑化、高度化するためにＷｅｂページを有効に利用することができるものである。
【図面の簡単な説明】
【００６８】
【図１】本発明実施時における、電話通話の状態の概念を示す図。
【図２】第１の実施形態に係る通信ネットワークシステムの概念図。
【図３】第１の実施形態における端末Ａの処理手順を示すフローチャート。
【図４】第１の実施形態におけるＵＲＬ検索サーバＣの処理手順を示すフローチャート。
【図５】第１の実施形態における端末Ａ、端末Ｂ、ＵＲＬ検索サーバＣ、ＷｅｂコンテンツサーバＤの間の処理手順を示すシーケンス図。
【図６】端末Ａの構成を示すブロック図。
【図７】第１の実施形態におけるＵＲＬ検索サーバＣの構成を示すブロック図。
【図８】端末の電話番号とＵＲＬを関連付けたテーブル。
【図９】第２の実施形態に係る通信ネットワークシステムの概念図。
【図１０】第２の実施形態における端末Ａの処理手順を示すフローチャート。
【図１１】第２の実施形態における端末Ｂの処理手順を示すフローチャート。
【図１２】第２の実施形態における端末Ａ、端末Ｂ、ＷｅｂコンテンツサーバＤの間の処理手順を示すシーケンス図。
【図１３】第２の実施形態における端末Ｂの構成を示すブロック図。
【符号の説明】
【００６９】
１００    端末（端末Ａ）
１０１    通信部
１０３    ＵＲＬ受信部
１０５    ＵＲＬ取得要求送信部
１０７    ＵＲＬ取得制御部
１０９    通話・ブラウザ制御部
１１１    ブラウザ起動制御部
１１３    ブラウザ
１１５    通話開始制御部
１１７    通話部
１１９    ＵＲＬ保持／非保持判定部
１２１    発呼操作制御部
１２３    電話帳
１２５    ディスプレイ
１２７    ＵＲＬ通知制御部
１２９    ＵＲＬ送信部
１３１    ＵＲＬ要求受信部
１３３    メモリ
１５０    端末（端末Ｂ）
２００    サーバ（ＵＲＬ検索サーバＣ）
２０１    ＵＲＬ検索部
２０３    ＵＲＬ送信部
２０５    電話番号取得部
２０７    通信部
２０９    ＵＲＬ情報データベース
【図１】
2006211135.tif 000003
【図２】
2006211135.tif 000004
【図３】
2006211135.tif 000005
【図４】
2006211135.tif 000006
【図５】
2006211135.tif 000007
【図６】
2006211135.tif 000008
【図７】
2006211135.tif 000009
【図８】
2006211135.tif 000010
【図９】
2006211135.tif 000011
【図１０】
2006211135.tif 000012
【図１１】
2006211135.tif 000013
【図１２】
2006211135.tif 000014
【図１３】
2006211135.tif 000015